(57)【要約】      （修正有）【課題】ユーザが現に使用中の天板本体を、所望する別個の天板本体（例えば新しく購入したもの）を簡単に交換することができると共に、天板本体を交換する際、該天板本体をスタンド本体に対して周方向に容易に微調整して固定することができるスピーカ用スタンドを提供する。【解決手段】床面Ｆに水平状態に載置されるベース部２及びベース部に立設された支柱３Ａを有するスタンド本体１Ａと、このスタンド本体の上端部に固定される天板部材２１Ａとを備えるスピーカ用スタンドＸ１に於いて、天板部材は、スタンド本体に対して支柱の周方向に微調整可能に嵌合するアダプター２２Ａと、このアダプターの上面に固着手段２４を介して取り外し可能に固着された天板本体２３Ａとから成る。【選択図】図９
2020136852.tif 000002
【特許請求の範囲】
【請求項１】
床面に水平状態に載置されるベース部及び該ベース部に立設された支柱を有するスタンド本体と、このスタンド本体の上端部に固定される天板部材とを備えるスピーカ用スタンドに於いて、
前記天板部材は、前記スタンド本体に対して前記支柱の周方向に微調整可能に嵌合するアダプターと、このアダプターの上面に固着手段を介して取り外し可能に固着された天板本体とから成るスピーカ用スタンド。
【請求項２】
請求項１のスピーカ用スタンドに於いて、前記アダプターは、前記支柱の上端部に外嵌合可能であり、また該アダプターの上壁部には、前記天板本体に形成された貫通小孔との位置が一致する第１螺合小孔が形成され、さらに、その周壁部に半径方向に第２螺合小孔が形成されており、前記第２螺合小孔に調整ネジを螺合させることで、前記アダプターを前記支柱の上端部に固定することができることを特徴とするスピーカ用スタンド。
【請求項３】
請求項１のスピーカ用スタンドに於いて、ユーザは、前記固着手段を外して所望する別個の天板本体に交換することができることができることを特徴とするスピーカ用スタンド。
【請求項４】
床面に水平状態に載置されるベース部及び該ベース部に立設された支柱を有するスタンド本体と、このスタンド本体の上端部に固定される天板部材とを備え、前記所定長の支柱は、少なくとも上端部の周壁に、その上端から下端部に向かって、かつ、周方向に沿って多数の突条熱放出フィンを有するスピーカ用スタンドであって、前記スピーカ用スタンドは、前記天板部材の下面側又は前記スタンド本体の上端面側かのいずれかに設けられ、かつ、前記スタンド本体に対して前記支柱の周方向に微調整可能なアダプターを備え、また、前記天板部材は前記アダプターの上面に固着手段を介して取り外し可能に固着され、さらに、前記アダプターと前記支柱の上端部との間に、スペーサとしての取付けベース板を介在させ、該取付けベース板に前記アダプターを外嵌合させたスピーカ用スタンド。
【請求項５】
請求項４のスピーカ用スタンドに於いて、前記取付けベース板の周壁には周方向の係合溝が形成され、前記取付けベース板に前記アダプターを外嵌合させた時、該アダプターの周壁部に形成された螺合小孔に調整ネジを螺合させ、かつ、該調整ネジを前記係合溝に係止させることで、該アダプターを取付けベース板に一体化することを特徴とするスピーカ用スタンド。
【請求項６】
請求項４のスピーカ用スタンドに於いて、該支柱は、少なくとも上端開口の長筒状であり、前記上端開口に蓋体が略面一状に嵌め込まれ、この蓋体の上面に取付けベース板が一体的に固定されていることを特徴とするスピーカ用スタンド。
【発明の詳細な説明】
【技術分野】
【０００１】
本発明は、天板にスピーカボックスを載置することができるスピーカ用スタンドに関する。
【背景技術】
【０００２】
特許文献１の図５（ａ）、（ｂ）には、本願発明の構造に関係がある「スピーカスタンド」の一例が開示されている。この図５の実施形態は特許文献１の従来技術である。この従来技術のスピーカスタンドは、底面視中蝶ネクタイ形状の天板１５と、この天板の下面中央部に一体に設けられた下端開口の嵌合筒とから成り、前記嵌合筒は、三脚状支持部材２のポール３の上端部に嵌合する。そして、前記嵌合筒を前記ポール３の上端部に嵌合した場合には、前記嵌合筒を周方向に適宜に回して、所望する所で、前記嵌合筒のねじ穴１９に１本の固定ネジ１６をねじ込む。なお、前記中蝶ネクタイ形状の天板１５には、該天板の前後一対の長孔１８，１８及び固着手段を介してスピーカボックス１の下面が固定的に取り付けられる（符号は特許文献１のもの）。
【０００３】
上記構成のスピーカスタンドは、スピーカボックス１の向きを水平方向に変えることができる利点を有するものの、（ａ）中蝶ネクタイ形状の天板１５と下端開口の嵌合筒は、一体に設けられていることから、天板１５を嵌合筒から分離して、ユーザが好きな大きさ、好きな形状、好きな材質等の天板に交換をすることができない、（ｂ）支持部材２が、カメラの三脚と略同一構成のものなので、それなりの設置スペースが必要である。付言すると、支持部材２の複数本の脚片を広げるにしたがって、設置スペースが広くなる。（ｃ）また支持部材２そのものが高価である等の問題点があった。
【先行技術文献】
【特許文献】
【０００４】
【特許文献１】実開平５−３１４８７号公報
【発明の概要】
【発明が解決しようとする課題】
【０００５】
本発明の主たる目的は、特許文献１の問題点に鑑み、ユーザが現に使用中の天板本体を、所望する別個の天板本体（例えば新しく購入したもの）を簡単に交換することができると共に、天板本体を交換する際、該天板本体をスタンド本体に対して周方向に容易に微調整して固定することができることである。第２の目的は、所定長の支柱が、少なくとも上端部の周壁に、その上端から下端部に向かって突条熱放出フィンを複数個有する場合であって、これらの突条熱放出フィンの形状が直線、曲線、波状等の如何を問わず、第１の課題を十分に達成することができることである。
【課題を解決するための手段】
【０００６】
本発明のスピーカ用スタンドは、床面に水平状態に載置されるベース部及び該ベース部に立設された支柱を有するスタンド本体と、このスタンド本体の上端部に固定される天板部材とを備えるスピーカ用スタンドに於いて、前記天板部材は、前記スタンド本体に対して前記支柱の周方向に微調整可能に嵌合するアダプターと、このアダプターの上面に固着手段を介して取り外し可能に固着された天板本体とから成ることを特徴とする。
【０００７】
上記構成に於いて、前記アダプターは、前記支柱の上端部に外嵌合可能であり、また該アダプターの上壁部には、前記天板本体に形成された貫通小孔との位置が一致する第１螺合小孔が形成され、さらに、その周壁部に半径方向に第２螺合小孔が形成されており、前記第２螺合小孔に調整ネジを螺合させることで、前記アダプターを前記支柱の上端部に固定することができることを特徴とする。またユーザは、前記固着手段を外して所望する別個の天板本体に交換することができることができる。
【０００８】
また本発明のスピーカ用スタンドは、床面に水平状態に載置されるベース部及び該ベース部に立設された支柱を有するスタンド本体と、このスタンド本体の上端部に固定される天板部材とを備え、前記所定長の支柱は、少なくとも上端部の周壁に、その上端から下端部に向かって、かつ、周方向に沿って多数の突条熱放出フィンを有するスピーカ用スタンドであって、前記スピーカ用スタンドは、前記天板部材の下面側又は前記スタンド本体の上端面側かのいずれかに設けられ、かつ、前記スタンド本体に対して前記支柱の周方向に微調整可能なアダプターを備え、また、前記天板部材は前記アダプターの上面に固着手段を介して取り外し可能に固着され、さらに、前記アダプターと前記支柱の上端部との間に、スペーサとしての取付けベース板を介在させ、該取付けベース板に前記アダプターを外嵌合させたことを特徴とする。
【０００９】
上記構成に於いて、前記取付けベース板の周壁には周方向の係合溝が形成され、前記取付けベース板に前記アダプターを外嵌合させた時、該アダプターの周壁部に形成された螺合小孔に調整ネジを螺合させ、かつ、該調整ネジを前記係合溝に係止させることで、該アダプターを取付けベース板に一体化することを特徴とする。また該支柱は、少なくとも上端開口の長筒状であり、前記上端開口に蓋体が略面一状に嵌め込まれ、この蓋体の上面に取付けベース板が一体的に固定されていることを特徴とする。
【発明の効果】
【００１０】
本発明は、スペーサとしての取付けベース板を介在させているか否かを問わず、ユーザが現に使用中の天板本体を、所望する別個の天板本体（例えば新しく購入したもの）を簡単に交換することができると共に、天板本体を交換する際、該天板本体をスタンド本体に対して周方向に容易に微調整して固定することができる。
【００１１】
なお、天板部材と支柱の上端部の間にスペーサとしての取付けベース板を介在させる実施形態の場合には、所定長の支柱が、少なくとも上端部の周壁に、その上端から下端部に向かって突条熱放出フィンを複数個有する場合であって、これらの突条熱放出フィンの形状が直線、曲線、波状等の如何を問わず、本発明の第１の課題を十分に達成することができると共に、天板部材の位置を取付けベース板の厚みに対応してその分スピーカの位置を高くすることができる。
【００１２】
また支柱が少なくとも上端開口の長筒状であり、前記上端開口に蓋体が略面一状に嵌め込まれ、この蓋体の上面に取付けベース板が一体的に固定されている実施形態の場合には、該支柱の内部に粉状又は粒状の物質が充填することができる。よって、該支柱の重量を増大させて支柱の安定化を図ることができる。その他、ベース部が三脚構成ではなく、床面に水平状態に載置されるので、安価に製作することができる。
【図面の簡単な説明】
【００１３】
図１乃至図８は本発明の第１実施形態を示す各説明図。図９乃至図１４は本発明の第２実施形態を示す各説明図。
【図１】第１実施形態の正面視からの概略説明図。
【図２】スタンド本体と天板部材とを分離した概略説明図。
【図３】スタンド本体の平面図。
【図４】図３の４−４線断面図。
【図５】天板部材の分解斜視図。
【図６】図５の６−６線断面に基づく説明図。
【図７】アダプターを支柱の上端部に外嵌合した概略断面説明図。
【図８】天板本体とアダプターを、固着手段を介してねじ止めした状態の概略説明図。
【図９】第２実施形態の正面視からの概略説明図。
【図１０】スタンド本体、天板部材、取付けベース板、蓋板を分離した概略説明図。
【図１１】スタンド本体の平面図。
【図１２】図１１の１２−１２線断面に基づく概略説明図（取付けベース板、蓋板も図示）。
【図１３】要部の分解斜視図。
【図１４】天板部材を、取付けベース板を介して取付けた状態の概略説明図。
【発明を実施するための形態】
【００１４】
図１乃至図８は本発明の第１実施形態の各説明図である。図１は、スピーカ用スタンドＸ（以下、「スタンドＸ」という）の正面視からの概略説明図である。まず、この図１に於いて、Ｘは床面Ｆに水平状態に載置されるスタンド（実線）で、このスタンドＸの後述する天板には、箱状のスピーカＹ（仮想線）が持ち上げ自在に、又は好ましくは図示しない接着層、両面接着テープ、ネジなどの固定手段を介して固定的に設置さている。スピーカＹの全体の外観形状は、普通一般に市販されている箱体（例えば直方体）であるが、その底面は天板からはみ出ない大きさであり、また天板と略同一形状である（相似形も含む）。
【００１５】
次に図２は、図１に於いて、スタンド本体１と天板部材２１とを分離した概略説明図で、スピーカは省略している。この図２では、天板部材２１を構成するアダプター２２は、予め天板本体２３の下面中央部に複数本の固着手段２４を介して固定されている。
【００１６】
図１及び図２で示すように、スタンドＸは、床面Ｆに水平状態に載置される所定形状のベース部２及び該ベース部に立設された所定長の支柱３を有するスタンド本体１と、このスタンド本体の上端部に固定的に嵌合（螺合も含む）する天板部材２１とを備え、前記天板部材２１は、前記スタンド本体１に対して前記支柱３の周方向に微調整可能に固定されるアダプター２２と、このアダプターの上面に固着手段２４を介して取り外し可能に固着される所定形状の天板本体２３とから成る。
【００１７】
次に図３は、スタンド本体１の平面図、図４は図３の４−４線断面図である。図３を参照にすると、ベース部２は平面視略正方形又は略矩形であるが、例えば六角形、八角形等の多角形又は、真円、楕円等の円形のいずれであっても良い。実施形態では、図４で示すように、その底面が床面に載置面となる金属製の第１ベース板２ａと、金属製の第２ベース板２ｂとから成る。
【００１８】
出願人は長年の研究の結果、スタンド本体１の安定性、音質の向上性、安価性等の視点から、比重が異なる物質の金属板を一体的に重ね合わせた方が良いことを知見した。そこで、前記第１ベース板２ａは比重が重い鉄板（Ｆｅ）であり、一方、前記第２ベース板２ｂは鉄板（Ｆｅ）よりも比重が軽いアルミニウム板（Ａｌ）を採用している。
さて、図４で示すように、支柱３は上下の端部が開口する。またその材質は、ある程度の重量性と強靭性、振動性と熱放出性、そして安価性等を考慮し、金属製微粉末と樹脂の複合材などの高比重樹脂材、マグネシウム（Ｍｇ）を含む合金、亜鉛（Ｚｎ）を含む合金等の金属が適宜に用いられる。実施形態では、アルミニウム又はマグネシウム合金製パイプ材を採用している。なお、支柱３の材質や形状は本発明の特定事項ではない。
【００１９】
付言すると、支柱３は、合金で成形された両端開口の１本のみパイプ（実施形態）又は下端開口の筒状体を１本のみ用いているが、底有筒状体、上壁を有する筒状体、底有及び上壁を有する中空体又は中実体を適宜に用いることができる。支柱３は、好ましくは、図４で示すような長尺状の両端開口の筒状体で、その下端部の基部は、第２ベース板２ｂの略中央部に固定的に設けられた角形状の支持部４に取り外し可能に密状態に外嵌合する。これにより支柱３はガタガタと揺れないように第２ベース板２ｂと支持部４によって支持される。
【００２０】
ところで、支柱３はベース部２に対して、周方向に回転しないように角形状の支持部４に支持されているが、支持部４が角形状である必要はなく、ベース部に対する支柱３の取付け態様に関して、例えば支柱３の下端部の基部に鍔片を周設し、この鍔片に周方向に沿って複数の固着具用貫通孔を形成し、これらの固着具用貫通孔に支柱３用の固着具をねじ込んで、該支柱３をベース部２に取り外し可能に取付けても良い（図面を省略）。
【００２１】
また、実施形態では、支柱３は「１本」であるが、この１本の概念は、支柱３の全体の外観形状が、ベース部の上面に位置する下端部の基部から上端部の取付け部まで略垂直状に起立することを言うので、支柱３が、例えば下部支柱部とこの下部支柱部に嵌合する上部支柱部の二物品からなるもの、又は下部支柱部と上部支柱部の間にスペーサが介在する多数の物品から成るものなどが、実施形態の支柱３の概念に含まれる。しかして、音質の向上性、安価性等を考慮すると、実施形態の如く、支柱３はベース部の上面から天板部材の下面に至るまで「１物品」であることが望ましい。
【００２２】
さらに、実施形態では、後述する第２実施形態の支柱３Ａとは相違し、少なくとも上端部の周壁に、その上端から下端部に向かって突条の熱放出フィンを複数個有するものではないが、支柱３から物理的に生ずる振動エネルギー（熱）を大気（室温）に放出するために、好ましくは、支柱３の周壁の上端部寄りの部位から下端部の基部に至るまで、周方向に沿って多数の縦溝を筋条に形成することによって、第２実施形態の支柱３Ａと同様の突条の熱放出フィンを多数形成しても良い。
【００２３】
次に図５は、中央部に複数個の貫通小孔２３ａを有する天板部材２１の分解斜視図である。天板部材２１の天板本体２３の前記貫通小孔２３ａは、望ましくは頭部の周面がサラ状の固着手段２４なので、逆円錐状の取付け孔である。これにより、前記頭部が前記天板本体２３の上面と面一となる。
【００２４】
この図５に於いて、アダプター２２の外観形状は、全体として円盤状であるが、多角形であっても良い。一方、天板本体２３の外観形状は、全体として横長状かつ角形状の板体であるが、円形（楕円も含む）の板体であっても良い。
【００２５】
次に図６は図５の６−６線断面図である。また図７はアダプター２２を支柱３の上端部３ａに外嵌合した概略断面説明図である。なお、図７では、アダプター２２が天板本体を有しない状態で支柱３の上端部３ａの取付け部に外嵌合しているが、予め天板本体２３の下面中央部にアダプター２２を複数本の固着手段２４を介して一体的に取付けた状態で、該アダプター２２を支柱３の上端部３ａに外嵌合しても良い。つまり、アダプター２２の取付け態様は、本発明の本質的事項ではない。
【００２６】
さて、上記アダプター２２は、図５乃至図７で示すように、円環状の周壁２２ｂと、この周壁に一体成形された上壁２２ａとから成り、該アダプター２２の下向き凹所２２ｃの内径と支柱３の上端部３ａの外径との寸法差は、遊嵌合状態にならないように、好ましくは該アダプター２２が支柱に略ぴったりと嵌り合うように設定さている。
【００２７】
付言すると、アダプター２２の「ガタ」が生じないように、その内周壁が支柱３の上端部３ａの取付け部の周壁に密に嵌合する。また実施形態では、アダプター２２は前記上端部３ａの取付け部に外嵌合するが、上端部３ａの取付け部の周壁に螺旋状の溝を形成し、一方、アダプター２２の内周壁にも同様に対応する螺旋状の溝を形成し、前記アダプター２２を支柱３の上端部３ａの取付け部に螺着しても良い。したがって、ここでの「嵌合」の用語には、螺合状態で嵌合する構成も含まれる。
【００２８】
しかして、実施形態では、アダプター２２は、支柱３の上端部３ａにそのまま密に嵌め合わせるように外嵌合可能であり、また該アダプター２２の上壁部２２ａには、前記天板本体２３に形成された複数の貫通小孔２３ａとの位置が一致する複数の第１螺合小孔２６が形成され、さらに、その周壁部２２ｂに半径方向に１対の貫通状の第２螺合小孔２７が形成されている。なお、実施形態では、前記第２螺合小孔２７が複数個（例えば左右方向に一対）であるが、１個であっても良い。しかしながら、望ましくはアダプター２２の「ガタ」が生じないように、複数個用いられている。
【００２９】
上記構成に於いて、例えば図８で示すように、天板本体２３とアダプター２２を複数の固着手段２４を介して一体的にねじ止めした状態で、前記第２螺合小孔２７に複数の調整ネジ２８をそれぞれ螺合させることで、アダプター２２を支柱３の上端部３ａの周壁に固定する。
【００３０】
であるから、ユーザは、天板本体用の固着手段２４を外して所望する別個の天板本体（例えば新しく購入したもの）に交換することができる。また、前記スタンド本体１も、所望する場合には、アダプター２２と支柱３は互いに分離可能なので、現在使用している支柱３を、別の長さの支柱を有する別個のスタンド本体に交換することもできる。
【実施例】
【００３１】
この欄では、第１実施形態の構成を主要部として他の構成要件を加味した第２実施形態について説明する。なお、この実施形態の説明に当って、第１実施形態と同一の部分には同一又は同様の符号を付して重複する説明を割愛する。
【００３２】
第１実施形態に対して第２実施形態が主に異なる事項は、（ａ）所定長の支柱３Ａが、少なくとも上端部の周壁に、その上端から下端部に向かって、かつ、周方向に沿って多数の突条熱放出フィン３０を有する点、（ｂ）天板部材２１Ａを構成するアダプター２３Ａと支柱３Ａの上端部３ａとの間に、スペーサとしての取付けベース板３１を介在させ、該取付けベース板３１にアダプター２３Ａを外嵌合させた点、（ｃ）取付けベース板３１の周壁には周方向に単数又は複数の係合溝３２が形成され、前記取付けベース板３１に第１実施形態と同様のアダプター２２Ａを外嵌合させた時、該アダプター２２Ａの周壁部２２ｂに形成された第２螺合小孔２７に調整ネジ２８を螺合させ、かつ、該調整ネジ２８を前記係合溝３２に係止させることで、該アダプター２２Ａと取付けベース板３１を一体化する点、（ｄ）支柱３Ａの上端開口に複数の貫通小孔３５ａを有する蓋体３５が略面一状に嵌め込まれ、この蓋体３５の上面に複数の貫通小孔３１ａを有する取付けベース板３１が、例えば複数個の固着具３６を介して前記支柱３Ａに設けられたネジ孔３ｂに固定されている点、（ｅ）さらに、好ましくは前記取付けベース板３１と蓋体３５が前記３６で支柱３Ａの上端部に形成したネジ孔３ｂに取外し可能に固着されている点（ｆ）加えて、中空の支柱に、例えば粉体、砂、粒状の物質３７等を充填した点である。なお、前述した蓋体３５は、嵌め易いように弾性部材（好ましくは可撓性部材）を採用している。さらに、特に図示しないが、中空の支柱３Ａに図示しない棒状の芯材を内設し、該棒状の芯材の上端にカバー部材としての蓋体３５を支持させても良い。
【００３３】
したがって、この第２実施形態は、床面に水平状態に載置されるベース部２及び該ベース部に立設された支柱３Ａを有するスタンド本体１Ａと、このスタンド本体の上端部に固定される天板部材２１Ａとを備え、前記所定長の支柱３Ａは、少なくとも上端部３ａの周壁に、その上端から下端部に向かって、かつ、周方向に沿って多数の突条熱放出フィン３０を有するスピーカ用スタンドＸ１であって、天板部材２１Ａは、前記スタンド本体１Ａに対して前記支柱３Ａの周方向に微調整可能なアダプター２２Ａと、このアダプターの上面に固着手段２４を介して取り外し可能に固着された天板本体２３Ａとから成る。なお、前記アダプター２２Ａの取り付け態様に関して、天板部材２１Ａ側ではなく、スタンド本体１Ａの上端面側に取り付けても良い。したがって、アダプター２２Ａの取り付け態様は、本発明の特定事項ではない。
【００３４】
それ故に、第２実施形態は、「床面に水平状態に載置されるベース部及び該ベース部に立設された支柱３Ａを有するスタンド本体１Ａと、このスタンド本体の上端部に固定される天板部材（２３Ａ又は２１Ａ）とを備え、前記所定長の支柱３Ａは、少なくとも上端部の周壁に、その上端から下端部に向かって、かつ、周方向に沿って多数の突条熱放出フィン３０を有するスピーカ用スタンドＸ１であって、前記スピーカ用スタンドは、前記天板部材（２３Ａ又は２１Ａ）の下面側又は前記スタンド本体の上端面側かのいずれかに設けられ、かつ、前記スタンド本体に対して前記支柱の周方向に微調整可能なアダプターを備え、また、前記天板部材（２３Ａ又は２１Ａ）は前記アダプターの上面に固着手段を介して取り外し可能に固着され、さらに、前記アダプターと前記支柱の上端部との間に、スペーサとしての取付けベース板３１を介在させ、該取付けベース板に前記アダプターを外嵌合させたもの」である。
【００３５】
上記のように構成すると、突条熱放出フィン３０の形状が直線、曲線、波状等の如何を問わず、本発明の第１の課題を十分に達成することができると共に、天板部材の位置を取付けベース板の厚みに対応してその分スピーカの位置を高くすることができる。
【産業上の利用可能性】
【００３６】
本発明は、スピーカの支持台として利用することができる。
【符号の説明】
【００３７】
Ｘ、Ｘ１…スピーカ用スタンド、        Ｆ…床面、
Ｙ…スピーカ、                        １、１Ａ…スタンド本体、
２…ベース部、                        ２ａ…第１ベース板、
２ｂ…第２ベース板、                  ３、３Ａ…支柱、
３ａ…上端部、                        ４…支持部、
２１、２１Ａ…天板部材、              ２２、２２Ａ…アダプター、
２２ａ…上壁部、                      ２２ｂ…周壁部、
２２ｃ…下向き凹所、                  ２３、２３Ａ…天板本体、
２３ａ…貫通小孔、                    ２４…固着手段、
２６…第１螺合小孔、                  ２７…第２螺合小孔、
２８…調整ネジ、                      ３０…突条熱放出フィン、
３１…取付けベース板、                ３１ａ…貫通小孔、
３２…係合溝、                        ３５…蓋体、
３５ａ…ネジ孔、                      ３６…固着具、
３７…物質。
【図１】
2020136852.tif 000003
【図２】
2020136852.tif 000004
【図３】
2020136852.tif 000005
【図４】
2020136852.tif 000006
【図５】
2020136852.tif 000007
【図６】
2020136852.tif 000008
【図７】
2020136852.tif 000009
【図８】
2020136852.tif 000010
【図９】
2020136852.tif 000011
【図１０】
2020136852.tif 000012
【図１１】
2020136852.tif 000013
【図１２】
2020136852.tif 000014
【図１３】
2020136852.tif 000015
【図１４】
2020136852.tif 000016